(57)【要約】【課題】タッチパネルの厚みやサイズにかかわらず、透明プラスチック製のタッチパネルを操作した際、タッチパネルが撓んで凹むのを抑制することができるタッチパネル支持構造を提供する。【解決手段】表示部２２ａ１を含む表面２２ａとその反対側の裏面２２ｂとを含むディスプレイ２０と、表面３０ａとその反対側の裏面３０ｂとを含むタッチパネル３０と、表面４０ａとその反対側の裏面４０ｂを含む透明支持板４０と、を備え、前記ディスプレイ２０と前記タッチパネル３０は、前記ディスプレイ３０の表面３０ａと前記タッチパネル３０の裏面３０ｂとが対向した状態で配置され、前記透明支持板４０は、前記透明支持板４０の裏面４０ｂが前記ディスプレイ２０の表面２０ａに対向し、かつ、前記透明支持板４０の表面４０ａが前記タッチパネル３０の裏面３０ｂに対向した状態で前記ディスプレイ２０と前記タッチパネル３０との間に配置されたタッチパネル支持構造であることを特徴とする。【選択図】  図１
2018197970.tif 000002
【特許請求の範囲】
【請求項１】
表示部を含む表面とその反対側の裏面とを含むディスプレイと、
表面とその反対側の裏面とを含むタッチパネルと、
表面とその反対側の裏面とを含む透明支持板と、を備え、
前記ディスプレイと前記タッチパネルは、前記ディスプレイの表面と前記タッチパネルの裏面とが対向した状態で配置され、
前記透明支持板は、前記透明支持板の裏面が前記ディスプレイの表面に対向し、かつ、前記透明支持板の表面が前記タッチパネルの裏面に対向した状態で前記ディスプレイと前記タッチパネルとの間に配置されたタッチパネル支持構造。
【請求項２】
前記ディスプレイは、前記表示部を取り囲むフレームを備え、
前記透明支持板は、当該透明支持板の裏面の外周部が前記ディスプレイの前記フレームに当接し、かつ、当該透明支持板の表面が前記タッチパネルの裏面に当接した状態で、前記ディスプレイと前記タッチパネルとの間に配置された請求項１に記載のタッチパネル支持構造。
【請求項３】
前記ディスプレイは、前記表示部を取り囲むフレームを備え、
前記透明支持板は、当該透明支持板の裏面の外周部が前記ディスプレイの前記フレームに当接し、かつ、当該透明支持板の表面と前記タッチパネルの裏面との間に微小スペースが形成された状態で、前記ディスプレイと前記タッチパネルとの間に配置された請求項１に記載のタッチパネル支持構造。
【請求項４】
前記タッチパネルの裏面又は前記透明支持板の表面には、複数の微小凹凸が設けられている請求項２又は３に記載のタッチパネル支持構造。
【請求項５】
前記ディスプレイは、液晶ディスプレイ、又は、有機ＥＬディスプレイであることを特徴とする請求項１から３のいずれかに記載のタッチパネル支持構造。
【発明の詳細な説明】
【技術分野】
【０００１】
本発明は、タッチパネル支持構造に関し、特に、透明プラスチック製のタッチパネルを操作した際、タッチパネルが撓んで凹むのを抑制することができるタッチパネル支持構造に関する。
【背景技術】
【０００２】
図４は、従来の表示装置１０Ａの断面図である。従来、図４に示すように、液晶ディスプレイ２０Ａと、液晶ディスプレイ２０Ａに対向して配置されたタッチパネル３０Ａと、を備えた表示装置１０Ａが知られている（例えば、特許文献１（図３等）参照）。
【先行技術文献】
【特許文献】
【０００３】
【特許文献１】特開２０１４−１０６７０１号公報
【発明の概要】
【発明が解決しようとする課題】
【０００４】
しかしながら、特許文献１に記載の表示装置１０Ａにおいては、液晶ディスプレイ２０Ａとタッチパネル３０Ａとの間に空間Ｓが設けられているため、タッチパネル３０Ａとして透明プラスチック製のタッチパネルを用いた場合、タッチパネル３０Ａの厚みやサイズによっては、タッチパネル３０Ａを操作した際、タッチパネル３０Ａが撓んで凹んでしまい（図３参照）、操作性が低下する、という課題がある。
【０００５】
本発明は、上記事情に鑑みてなされたものであり、タッチパネルの厚みやサイズにかかわらず、透明プラスチック製のタッチパネルを操作した際、タッチパネルが撓んで凹むのを抑制することができるタッチパネル支持構造を提供することを目的とする。
【課題を解決するための手段】
【０００６】
上記目的を達成するために、本発明の一つの側面は、表示部を含む表面とその反対側の裏面とを含むディスプレイと、表面とその反対側の裏面とを含むタッチパネルと、表面とその反対側の裏面とを含む透明支持板と、を備え、前記ディスプレイと前記タッチパネルは、前記ディスプレイの表面と前記タッチパネルの裏面とが対向した状態で配置され、前記透明支持板は、前記透明支持板の裏面が前記ディスプレイの表面に対向し、かつ、前記透明支持板の表面が前記タッチパネルの裏面に対向した状態で前記ディスプレイと前記タッチパネルとの間に配置されたタッチパネル支持構造であることを特徴とする。
【０００７】
この側面によれば、タッチパネルの厚みやサイズにかかわらず、透明プラスチック製のタッチパネルを操作した際、タッチパネルが撓んで凹むのを抑制することができる。すなわち、タッチパネルの薄型化による操作感度の向上、タッチパネルの大画面化（例えば、９インチ以上）を実現しつつ、透明プラスチック製のタッチパネルを操作した際、タッチパネルが撓んで凹むのを抑制することができる。
【０００８】
これは、操作者がタッチパネルの操作に伴ってタッチパネルに外力（外部応力）を加えた場合、タッチパネルと透明支持板とが当接することによるものである。
【０００９】
また、上記発明において、好ましい態様は、前記ディスプレイは、前記表示部を取り囲むフレームを備え、前記透明支持板は、当該透明支持板の裏面の外周部が前記ディスプレイの前記フレームに当接し、かつ、当該透明支持板の表面が前記タッチパネルの裏面に当接した状態で、前記ディスプレイと前記タッチパネルとの間に配置されたことを特徴とする。
【００１０】
この態様によれば、タッチパネルの厚みやサイズにかかわらず、透明プラスチック製のタッチパネルを操作した際、タッチパネルが撓んで凹むのを抑制することができる。すなわち、本実施形態によれば、タッチパネルの薄型化による操作感度の向上、タッチパネルの大画面化（例えば、９インチ以上）を実現しつつ、透明プラスチック製のタッチパネルを操作した際、タッチパネルが撓んで凹むのを抑制することができる。
【００１１】
これは、操作者がタッチパネルの操作に伴ってタッチパネルに外力（外部応力）を加えた場合、タッチパネルの裏面と透明支持板の表面とが当接することで、タッチパネルに加えた外力が、透明支持板、フレームを介してディスプレイに伝わり、ディスプレイで受け止められることによるものである。
【００１２】
また、上記発明において、好ましい態様は、前記ディスプレイは、前記表示部を取り囲むフレームを備え、前記透明支持板は、当該透明支持板の裏面の外周部が前記ディスプレイの前記フレームに当接し、かつ、当該透明支持板の表面と前記タッチパネルの裏面との間に微小スペースが形成された状態で、前記ディスプレイと前記タッチパネルとの間に配置されたことを特徴とする。
【００１３】
この態様によれば、タッチパネルの厚みやサイズにかかわらず、透明プラスチック製のタッチパネルを操作した際、タッチパネルが撓んで凹むのを抑制することができる。すなわち、本実施形態によれば、タッチパネルの薄型化による操作感度の向上、タッチパネルの大画面化（例えば、９インチ以上）を実現しつつ、透明プラスチック製のタッチパネルを操作した際、タッチパネルが撓んで凹むのを抑制することができる。
【００１４】
これは、操作者がタッチパネルの操作に伴ってタッチパネルに外力（外部応力）を加えた場合、タッチパネルの裏面と透明支持板の表面とが当接することで、タッチパネルに加えた外力が、透明支持板、フレームを介してディスプレイに伝わり、ディスプレイで受け止められることによるものである。
【００１５】
また、上記発明において、好ましい態様は、前記タッチパネルの裏面又は前記透明支持板の表面には、複数の微小凹凸が設けられていることを特徴とする。
【００１６】
この態様によれば、タッチパネルの裏面又は透明支持板の表面には、複数の微小凹凸形状が形成されており、透明支持板の表面とタッチパネルの裏面とが面接触しないため、透明支持板の表面とタッチパネルの裏面とが面接触することに起因してニュートンリングが発生するのを抑制することができる。
【図面の簡単な説明】
【００１７】
【図１】（ａ）は図１（ｂ）のＡ−Ａ断面図、（ｂ）表示装置１０の正面図である。
【図２】ディスプレイ２０と透明支持板４０との関係を説明するための図である。
【図３】（ａ）タッチパネル３０の断面図（模式図）、（ｂ）タッチパネル３０と透明支持板４０との関係を説明するための図である。
【図４】従来の表示装置１０Ａの断面図である。
【発明を実施するための形態】
【００１８】
以下、本発明の一実施形態であるタッチパネル支持構造を備えた表示装置１０について添付図面を参照しながら説明する。各図において対応する構成要素には同一の符号が付され、重複する説明は省略される。
【００１９】
図１（ａ）は図１（ｂ）のＡ−Ａ断面図（Ｂ−Ｂ断面図）、図１（ｂ）は表示装置１０の正面図である。
【００２０】
図１に示す表示装置１０は、図示しないが、例えば、コピー機等のＯＡ機器に搭載され、当該ＯＡ機器の操作画面等が表示される。
【００２１】
図１に示すように、表示装置１０は、主に、ディスプレイ２０と、タッチパネル３０と、透明支持板４０と、防塵部材５０と、これらを保持するケース６０と、を備える。
【００２２】
ケース６０は、例えば、矩形板状のケースである。ケース６０には、その厚み方向に凹部６２が形成されている。凹部６２は、ディスプレイ２０が配置される第１凹部６２ａと、第１凹部６２aの上方に設けられ、タッチパネル３０が配置される第２凹部６２ｂと、を含む。第１凹部６２ａは第２凹部６２ｂより小サイズで、第１凹部６２ａと第２凹部６２ｂとの間には、段差部６４が設けられる。
【００２３】
図２は、ディスプレイ２０と透明支持板４０との関係を説明するための図である。
【００２４】
図２に示すように、ディスプレイ２０は、表示部２２ａ１を含む表面２２ａとその反対側の裏面２２ｂとを含む液晶ディスプレイ２２（LCD：liquid crystal display）と、表示部２２ａ１を取り囲むフレーム２４（板金ともいう）と、バックライト２６を備える。液晶ディスプレイ２２とバックライト２６とは、フレーム２４と板金２８との間に収容される。なお、ディスプレイ２０は、液晶ディスプレイに限る必要はなく、有機ＥＬディスプレイのような他の方式のディスプレイを使用してもよい。
【００２５】
図１に示すように、ディスプレイ２０は、その裏面２０ｂがケース６０の底面６６に当接（面接触又は略面接触）し、かつ、その側面が第１凹部６２ａの内壁で取り囲まれた状態で第１凹部６２ａ内に配置される。
【００２６】
透明支持板４０は、表面４０ａとその反対側の裏面４０ｂとを含む透明板である。透明支持板４０の材料は、例えば、アクリルやポリカーボネイト等の透明プラスチック又はガラスである。透明支持板４０の厚さは、例えば、０．８〜３．０ｍｍである。透明支持板４０は、その裏面４０ｂの外周部がディスプレイ２０のフレーム２４に当接し（図２参照）、かつ、その側面が第１凹部６２ａの内壁で取り囲まれた状態で第１凹部６２ａ内に配置される（図１参照）。
【００２７】
防塵部材５０は、例えば、スポンジで、図１に示すように、透明支持板４０の側面とディスプレイ２０のフレーム２４と第１凹部６２ａの内壁とで囲まれたスペースに設けられる。防塵部材５０は、ディスプレイ２０の表示部２２ａ１に埃や塵が侵入するのを防止するために、ディスプレイ２０の表示部２２ａ１を取り囲むように設けられる。
【００２８】
図３（ａ）はタッチパネル３０の断面図（模式図）、図３（ｂ）はタッチパネル３０と透明支持板４０との関係を説明するための図である。
【００２９】
図３（ａ）に示すように、タッチパネル３０は、表面３２ａとその反対側の裏面３２ｂとを含む透明板３２と、透明板３２の裏面３２ｂに貼りつけられたタッチセンサーフィルム３４と、を備える。タッチセンサーフィルム３４は、例えば、静電容量方式のタッチセンサーフィルムで、透明板３２の裏面３２ｂのうち図１（ｂ）中の点線で囲った範囲Ｄに貼り付けられる。透明板３２の材料は、例えば、アクリルやポリカーボネイト等の透明プラスチックである。透明板３２の厚さは、例えば、０．８〜１．５ｍｍである。
【００３０】
タッチセンサーフィルム３４には、当該タッチセンサーフィルム３４と透明支持板４０の表面４０ａとが面接触しないように、複数の微小凹凸形状３４ａが形成される。複数の微小凹凸形状３４ａは、表示部２２ａ１の視認性を妨げないように、例えば、高さ数十μｍ程度が望ましい。複数の微小凹凸形状３４ａは、例えば、シボ加工によって形成される。
【００３１】
図１（ａ）に示すように、タッチパネル３０は、その裏面３２ｂの外周部（タッチセンサーフィルム３４が貼り付けられていない部分）がケース６０の段差部６４に接着剤Ｃ（例えば、接着テープ）で接着されることで、透明支持板４０に対して位置決めされた状態で第２凹部６２ｂ内に配置される。例えば、タッチパネル３０は、透明支持板４０の表面４０ａがタッチパネル３０の裏面３２ｂに貼り付けられたタッチセンサーフィルム３４（複数の微小凹凸形状３４ａ）に当接し（図３（ｂ）参照）、かつ、防塵部材５０がタッチパネル３０の裏面３２ｂ（タッチセンサーフィルム３４が貼り付けられていない部分）に当接して防塵部材５０とディスプレイ２０とタッチパネル３０とで囲まれた空間が形成されるように位置決めされた状態で第２凹部６２ｂ内に配置される。これにより、透明支持板４０は、ディスプレイ２０とタッチパネル３０との間に挟持された状態となる。
【００３２】
以上説明したように、本実施形態によれば、タッチパネル３０の厚みやサイズにかかわらず、透明プラスチック製のタッチパネル３０を操作した際、タッチパネル３０が撓んで凹むのを抑制することができる。すなわち、本実施形態によれば、タッチパネル３０の薄型化による操作感度の向上、タッチパネル３０の大画面化（例えば、９インチ以上）を実現しつつ、透明プラスチック製のタッチパネル３０を操作した際、タッチパネル３０が撓んで凹むのを抑制することができる。
【００３３】
これは、図１中矢印で示すように、操作者がタッチパネル３０の操作に伴ってタッチパネル３０に外力（外部応力）を加えた場合、タッチパネル３０の裏面３２ｂ（タッチセンサーフィルム３４）と透明支持板４０の表面４０ａとが当接することで、タッチパネル３０に加えた外力が、透明支持板４０、フレーム２４を介してディスプレイ２０に伝わり、ディスプレイ２０で受け止められることによるものである。
【００３４】
また、本実施形態によれば、タッチパネル３０の裏面３２ｂには、複数の微小凹凸形状３４ａが形成されており、透明支持板４０の表面４０ａとタッチパネル３０の裏面３２ｂとが面接触しないため、透明支持板４０の表面４０ａとタッチパネル３０の裏面３２ｂとが面接触することに起因してニュートンリング等が発生するのを抑制することができる。
【００３５】
また、本実施形態によれば、次の効果を奏することができる。
【００３６】
すなわち、タッチパネル３０が撓んで凹むのを抑制することができるため、操作性が低下しない。また、ディスプレイ２０とタッチパネル３０との間に透明支持板４０を配置したため、外部からの衝撃に強くなり耐久性が向上する。
【００３７】
次に、変形例について説明する。
【００３８】
上記実施形態では、複数の微小凹凸形状３４ａをタッチセンサーフィルム３４に形成した例について説明したが、これに限らない。例えば、複数の凹凸形状３４ａを透明支持板４０の表面４０ａに形成してもよい。
【００３９】
また、上記実施形態では、タッチパネル３０を、透明支持板４０の表面４０ａがタッチパネル３０の裏面３２ｂ（タッチセンサーフィルム３４に形成された複数の微小凹凸形状３４ａ）に当接した状態で第２凹部６２ｂ内に配置した例について説明したが、これに限らない。例えば、タッチパネル３０を、透明支持板４０の表面４０ａとタッチパネル３０の裏面３２ｂとの間に微小スペースが形成された状態で第２凹部６２ｂ内に配置してもよい。
【００４０】
また、上記実施形態では、タッチパネル３０として、静電容量方式のタッチパネルを用いた例について説明したが、これに限らない。例えば、タッチパネル３０として、静電容量方式以外の抵抗膜方式のタッチパネル、表面弾性波方式のタッチパネル等を用いてもよい。
【００４１】
上記実施形態で示した各数値は全て例示であり、これと異なる適宜の数値を用いることができるのは無論である。
【００４２】
上記実施形態はあらゆる点で単なる例示にすぎない。上記実施形態の記載によって本発明は限定的に解釈されるものではない。本発明はその精神または主要な特徴から逸脱することなく他の様々な形で実施することができる。
【符号の説明】
【００４３】
１０…表示装置、２０…ディスプレイ、２２ａ…表面、２２ａ１…表示部、２２ｂ…裏面、２４…フレーム、２６…バックライト、２８…板金、３０…タッチパネル、３２…透明板、３２ａ…表面、３２ｂ…裏面、３４…タッチセンサーフィルム、３４ａ…微小凹凸形状、４０…透明支持板、４０ａ…表面、４０ｂ…裏面、５０…防塵部材、６０…ケース、６２…凹部、６２a…第１凹部、６２ｂ…第２凹部、６４…段差部、６６…底面、Ｃ…接着剤
【図１】
2018197970.tif 000003
【図２】
2018197970.tif 000004
【図３】
2018197970.tif 000005
【図４】
2018197970.tif 000006